(57)【要約】【課題】  いわゆる縁なし記録時における着色材の浪費を抑制し、かつ記録装置内の汚染を軽減することができる記録条件設定方法、プログラム、記憶媒体、記録方法、記録装置、および記録条件決定装置を提供すること。  【解決手段】  記録媒体上の第１領域と、その記録媒体からはみ出した第２領域とを含めた領域を着色材付与領域とし、その着色材付与領域に対して着色材を付与して画像を記録する場合に、着色材付与領域の記録媒体からのはみ出し量を記録媒体の形態に応じて調整する。【選択図】  図７
2005349608.tif 000002
【特許請求の範囲】
【請求項１】
記録媒体上の第１領域と前記記録媒体からはみ出した第２領域とを含めた領域を着色材付与領域とし、当該着色材付与領域に対して着色材を付与して画像を記録するための記録条件を設定するための記録条件設定方法であって、
前記着色材付与領域の前記記録媒体からのはみ出し量を前記記録媒体の形態に応じて指定する工程を有することを特徴とする記録条件設定方法。
【請求項２】
前記着色材付与領域は、前記記録媒体の少なくとも１つの端部に余白を形成せずに画像を記録する際に、前記着色材を付与する領域であることを特徴とする請求項１に記載の記録条件設定方法。
【請求項３】
前記着色材付与領域の前記記録媒体からのはみ出し量として、前記第２領域の前記記録媒体からのはみ出し量または前記第２領域の大きさを指定することを特徴とする請求項１または２に記載の記録条件設定方法。
【請求項４】
前記着色材付与領域の前記記録媒体からのはみ出し量の指定は、グラフィックスを用いたユーザーインターフェースによって行うことを特徴とする請求項１から３のいずれかに記載の記録条件設定方法。
【請求項５】
前記着色材付与領域の前記記録媒体からのはみ出し量に応じて、記録データのサイズを変更する工程を有することを特徴とする請求項１から４のいずれかに記載の記録条件設定方法。
【請求項６】
前記着色材付与領域の前記記録媒体からのはみ出し量を前記記録媒体のサイズおよび／または種類に応じて指定することを特徴とする請求項１から５のいずれかに記載の記録条件設定方法。
【請求項７】
前記記録媒体のサイズが大きいほど、前記着色材付与領域の前記記録媒体からのはみ出し量として大きい量を指定することを特徴とする請求項６に記載の記録条件設定方法。
【請求項８】
前記着色材付与領域の前記記録媒体からのはみ出し量は、前記記録媒体のサイズに応じて予め段階的に設定された異なるはみ出し量の中から１つを指定することを特徴とする請求項６または７に記載の記録条件設定方法。
【請求項９】
前記記録媒体の種類は、前記記録媒体の厚み、剛度、インク受容層の種類、または基材の種類の内の少なくとも１つを含むことを特徴とする請求項６から８のいずれかに記載の記録条件設定方法。
【請求項１０】
記録媒体上の第１領域と前記記録媒体からはみ出した第２領域とを含めた領域を着色材付与領域とし、当該着色材付与領域に対して着色材を付与して画像を記録するための記録条件を設定するためのプログラムであって、
前記着色材付与領域の前記記録媒体からのはみ出し量を前記記録媒体の形態に応じて指定する工程をコンピュータに実行させることを特徴とするプログラム。
【請求項１１】
記録媒体上の第１領域と前記記録媒体からはみ出した第２領域とを含めた領域を着色材付与領域とし、当該着色材付与領域に対して着色材を付与して画像を記録するための記録条件を設定するためのプログラムであって、
前記記録媒体の形態およびユーザにより指定可能なはみ出し量レベルに予め対応付けられた複数の異なるはみ出し量の中から、前記記録媒体の形態と前記はみ出し量レベルに応じて１つのはみ出し量を指定する工程をコンピュータに実行させることを特徴とするプログラム。
【請求項１２】
記録媒体上の第１領域と前記記録媒体からはみ出した第２領域とを含めた領域を着色材付与領域とし、当該着色材付与領域に対して着色材を付与して画像を記録する記録方法であって、
前記記録媒体の形態に応じて調整された前記着色材付与領域の大きさに対応するサイズの記録データに基づいて、画像を記録することを特徴とする記録方法。
【請求項１３】
記録媒体上の第１領域と前記記録媒体からはみ出した第２領域とを含めた領域を着色材付与領域とし、当該着色材付与領域に対して着色材を付与して画像を記録する記録装置であって、
前記記録媒体の形態に応じて調整された前記着色材付与領域の大きさに対応するサイズの記録データに基づいて、画像を記録する制御手段を備えることを特徴とする記録装置。
【請求項１４】
記録媒体上の第１領域と前記記録媒体からはみ出した第２領域とを含めた領域を着色材付与領域とし、当該着色材付与領域に対して着色材を付与して画像を記録する記録装置に接続され、当該記録装置における記録のための条件を決定可能な記録条件決定装置であって、
前記着色材付与領域の前記記録媒体からのはみ出し量を前記記録媒体の形態に応じて指定する指定手段と、
前記指定手段により指定されたはみ出し量に関するデータ、あるいは前記指定手段により指定されたはみ出し量に基づき作成された記録データを前記記録装置に転送する転送手段と、
を含むことを特徴とする記録条件決定装置。
【発明の詳細な説明】
【技術分野】
【０００１】
本発明は、記録媒体上の第１領域と、その記録媒体からはみ出した第２領域とを含めた領域を着色材付与領域とし、その着色材付与領域に対して着色材を付与して画像を記録する際に、その画像記録の条件を設定するための記録条件設定方法、プログラム、記憶媒体に関するものである。さらに本発明は、そのような記録を実施するための記録方法、記録装置、および記録条件決定装置に関するものである。
【背景技術】
【０００２】
近年のインクジェット記録方式などの記録装置の進歩は目覚しく、記録画質および記録スピードが格段に向上してきている。近年の記録装置の製品開発においては、記録画質および記録スピードなどの基本性能の向上の他に、記録する上での付加機能やユーザーの使い勝手向上などに注力されている。例えば、記録媒体の少なくとも１つの端部に余白を形成せずに記録を行う、いわゆる余白なし記録（縁なし記録）が可能な記録装置が提案されている（例えば、特許文献１、特許文献２、特許文献３、特許文献４参照）。
【０００３】
縁なし記録を実施可能なシリアルスキャンタイプのインクジェット記録装置の一例を以下に示す。記録装置において、記録媒体を記録位置に支持するプラテンは、例えば図１（ａ），（ｂ）のように構成される。シリアルスキャンタイプのインクジェット記録装置は、インクジェット記録ヘッドを搭載したキャリッジを矢印Ｘの主走査方向に移動させつつ、その記録ヘッドから記録媒体Ｐに向かってインクを吐出させる動作と、記録媒体Ｐを矢印Ｙの副走査方向に所定量搬送する動作と、を交互に繰り返すことによって、記録媒体Ｐ上に順次画像を記録する。
【０００４】
図１（ａ），（ｂ）において、プラテン１０は、キャリッジと共に移動する記録ヘッドと対向するように略水平に設けられており、上方へ向けて突出するリブ１１，１２が形成されている。記録媒体Ｐは各リブ１１，１２の上面によって支持されつつ、搬送ローラによって図中Ｙの副走査方向へ搬送される。また、リブ１１とリブ１２との間に形成される溝１４（「インク受け部」ともいう）は、記録媒体Ｐの端部に余白を形成せずに記録を行う縁なし記録時に、記録媒体Ｐの端部よりも外側にはみ出した位置に吐出されるインクを受ける。その溝１４の下部及び各リブ間の下部には、インクを吸収するインク吸収体（「プラテン吸収体」ともいう）１３が保持されている。
【０００５】
図２（ａ），（ｂ），（ｃ）は、このようなプラテン１０を用いて、記録媒体Ｐに縁なし記録をする場合の説明図である。
【０００６】
このシリアルスキャンタイプのインクジェット記録装置は、前述したように、記録ヘッドによる主走査方向（Ｘ方向）への記録動作に関連して、記録媒体Ｐの副走査方向（Ｙ方向）への搬送動作を間欠的に行い、記録動作開始当初は、給送機構によってプラテン１０上に記録媒体Ｐが給送される。その際、給送された記録媒体Ｐの先端部Ｐａは、図２（ａ）のように、プラテン１０のリブ１１とリブ１２との間に形成される溝１４の上にて停止する。
【０００７】
次に、図２（ｂ）のように、記録ヘッドＨ１００１を搭載したキャリッジを主走査方向Ｘに沿って移動させつつ、記録ヘッドＨ１００１から記録媒体Ｐへとインク滴を吐出させ、記録媒体Ｐの先端部Ｐａに対して最初の１行分の記録を行う。記録媒体Ｐに画像を記録するための記録データは、記録媒体Ｐよりも大きい記録媒体に対して画像を記録するサイズのデータとなっている。そのため、記録データに基づいて、記録媒体Ｐの先端部Ｐａから外れた位置までインクが吐出され、記録媒体Ｐの先端部Ｐａに余白を形成することなく、その先端部Ｐａまで画像が記録される。記録媒体Ｐの先端部Ｐａから外れた位置に吐出されたインク、つまり記録媒体Ｐが存在しない位置に吐出されたインクは、リブ１１と１２の間に設けられたインク吸収体１３（プラテン吸収体）に着弾し、ここで吸収・保持される。
【０００８】
また、記録データに基づいて、記録媒体Ｐの左右の端部から外れた位置までインクを吐出することにより、それらの左右の端部にも余白を形成することなく、それらの左右の端部まで画像を記録することができる。記録媒体Ｐの左右の端部から外れた位置に吐出されたインクも、インク吸収体１３（プラテン吸収体）によって吸収・保持される。
【０００９】
このようにして最初の１行分の記録動作を終了した後は、搬送機構に設けられたＬＦローラの回転によって記録媒体Ｐを副走査方向Ｙに所定量搬送する移動と、次の行の記録動作と、を交互に実行する。そして、図２（ｃ）のように、記録媒体Ｐの後端部ＰｂがプラテンＰ上に移動したときに、最後の１行分の記録動作を行う。記録データに基づいて、この後端部Ｐｂから外れた位置にまでインクを吐出することにより、その後端部Ｐｂにも余白を形成することなく、その後端部Ｐｂまで画像を記録することができる。記録媒体Ｐの後端部Ｐｂから外れた位置に吐出されたインクも、インク吸収体１３（プラテン吸収体）によって吸収・保持される。
【００１０】
このような縁なし記録においては、記録データとして、記録媒体Ｐよりも大きい記録媒体に対して画像を記録するサイズのデータを用いる。その理由は、記録媒体Ｐの搬送時に生じる斜行や記録媒体Ｐのサイズのバラツキにより、記録媒体Ｐの正確な位置や大きさを把握できないからであり、記録媒体Ｐに対して画像を記録するサイズの記録データを用いた場合には、記録媒体Ｐの端部に、画像が記録されない余白部分が生じるおそれがある。
【００１１】
記録媒体の斜行に関しては、同じ斜行率でも記録媒体のサイズによって斜行量が変化し、また記録媒体の種類によっては、その特性の違いによって斜行量が変化する場合がある。また、記録媒体のサイズや種類によっては、その記録媒体の裁断時の精度が異なり、規定サイズからのサイズのバラツキ量が異なる。そのため、記録媒体の端部に余白を形成しない縁なし記録を確実に行う場合には、記録装置において想定される記録媒体の最大斜行量と、想定される裁断精度によって生じる記録媒体のサイズの最大バラツキ量と、を考慮して、記録データのサイズを設定する必要がある。一般には、記録装置において想定される最大斜行量が記録媒体に生じた場合でも、記録媒体の端部に余白を形成しない領域幅を予め設定しておき、縁なし記録時には、その領域幅に記録媒体の規格サイズの最大値を加えた大きさの記録領域に対応するサイズの記録データを作成している。
【００１２】
【特許文献１】特開2002-103585号公報
【特許文献２】特開2002-103587号公報
【特許文献３】特開2003-127353号公報
【特許文献４】特開2003-177898号公報
【発明の開示】
【発明が解決しようとする課題】
【００１３】
上述したような記録装置において、縁なし記録時に、記録媒体上からはみ出した位置にインク滴を吐出し、そのインク滴をプラテンに設けられた吸収体に着弾させて吸収させた場合には、次のような解決すべき課題があった。
【００１４】
まず、記録媒体上からはみ出した位置に、記録に寄与しないインク滴を吐出するため、インクの浪費を招くことになる。
【００１５】
また、記録ヘッドから吐出されたインク滴の内、体積の小さいものは、飛翔中に減速して周囲に浮遊した場合に、記録装置内の気流により移動していたるところに付着して、記録装置内を汚染するおそれがある。縁なし記録を実施しない通常の記録時においては、記録ヘッドと、その記録ヘッドから吐出されたインク滴が着弾する記録媒体までの間の距離が比較的短いため、インク滴は、それが減速しきる前に記録媒体上に着弾するため、浮遊して記録装置内を汚染するおそれは小さい。しかし、縁なし記録時において、記録媒体上からはみ出した位置に吐出されたインク滴は、記録ヘッドからプラテンに設けられた吸収体までの間の比較的長い距離を飛翔する。そのため、その飛翔中にインク滴が減速して浮遊しやすくなり、記録装置内を汚染するおそれが大きくなる。
【００１６】
このような縁無し記録時におけるインク浪費量の抑制や装置内汚染の軽減には、記録媒体からはみ出して吐出されるインク量を低減させるのが有効であり、そのためにははみ出し量を極力少なくするのが有効である。しかし、従来では、記録媒体の形態（記録媒体のサイズや種類等）を考慮したはみ出し量設定を行っておらず、インク浪費量の抑制や装置内汚染の軽減において未だ改善すべき点があった。
【００１７】
本発明の目的は、いわゆる縁なし記録時における着色材の浪費を抑制し、かつ記録装置内の汚染を軽減することができる記録条件設定方法、プログラム、記録方法、記録装置、および記録条件決定装置を提供することにある。
【課題を解決するための手段】
【００１８】
本発明の記録条件設定方法は、記録媒体上の第１領域と前記記録媒体からはみ出した第２領域とを含めた領域を着色材付与領域とし、当該着色材付与領域に対して着色材を付与して画像を記録するための記録条件を設定するための記録条件設定方法であって、前記着色材付与領域の前記記録媒体からのはみ出し量を前記記録媒体の形態に応じて指定する工程を有することを特徴とする。
【００１９】
本発明のプログラムは、記録媒体上の第１領域と前記記録媒体からはみ出した第２領域とを含めた領域を着色材付与領域とし、当該着色材付与領域に対して着色材を付与して画像を記録するための記録条件を設定するためのプログラムであって、前記着色材付与領域の前記記録媒体からのはみ出し量を前記記録媒体の形態に応じて指定する工程をコンピュータに実行させることを特徴とする。
【００２０】
また、本発明のプログラムは、記録媒体上の第１領域と前記記録媒体からはみ出した第２領域とを含めた領域を着色材付与領域とし、当該着色材付与領域に対して着色材を付与して画像を記録するための記録条件を設定するためのプログラムであって、前記記録媒体の形態およびユーザにより指定可能なはみ出し量レベルに予め対応付けられた複数の異なるはみ出し量の中から、前記記録媒体の形態と前記はみ出し量レベルに応じて１つのはみ出し量を指定する工程をコンピュータに実行させることを特徴とする。
【００２１】
本発明の記録方法は、記録媒体上の第１領域と前記記録媒体からはみ出した第２領域とを含めた領域を着色材付与領域とし、当該着色材付与領域に対して着色材を付与して画像を記録する記録方法であって、前記記録媒体の形態に応じて調整された前記着色材付与領域の大きさに対応するサイズの記録データに基づいて、画像を記録することを特徴とする。
【００２２】
本発明の記録装置は、記録媒体上の第１領域と前記記録媒体からはみ出した第２領域とを含めた領域を着色材付与領域とし、当該着色材付与領域に対して着色材を付与して画像を記録する記録装置であって、前記記録媒体の形態に応じて調整された前記着色材付与領域の大きさに対応するサイズの記録データに基づいて、画像を記録する制御手段を備えることを特徴とする。
【００２３】
本発明の記録条件決定装置は、記録媒体上の第１領域と前記記録媒体からはみ出した第２領域とを含めた領域を着色材付与領域とし、当該着色材付与領域に対して着色材を付与して画像を記録する記録装置に接続され、当該記録装置における記録のための条件を決定可能な記録条件決定装置であって、前記着色材付与領域の前記記録媒体からのはみ出し量を前記記録媒体の形態に応じて指定する指定手段と、前記指定手段により指定されたはみ出し量に関するデータ、あるいは前記指定手段により指定されたはみ出し量に基づき作成された記録データを前記記録装置に転送する転送手段と、を含むことを特徴とする。
【００２４】
なお、本明細書において「縁なし記録」とは、記録媒体の記録面の少なくとも一端（１つの端部）に余白を設けずに記録を行うことを意味する。例えば、記録媒体が四角形の場合、四辺全てに余白を設けずに記録を行う場合は勿論のこと、四辺のうち三辺には余白を設けず残りの一辺には余白を設ける場合、四辺のうち二辺には余白を設けず残りの二辺には余白を設ける場合、四辺のうち一辺には余白を設けず残りの三辺には余白を設ける場合も、本明細書における「縁なし記録」に含まれる。
【発明の効果】
【００２５】
本発明によれば、記録媒体上の第１領域と、その記録媒体からはみ出した第２領域とを含めた領域を着色材付与領域とし、その着色材付与領域に対して着色材を付与して画像を記録する場合に、着色材付与領域の記録媒体からのはみ出し量を記録媒体の形態に応じて調整することにより、いわゆる縁なし記録時における着色材の浪費を抑制し、かつ記録装置内の汚染を軽減することができる。
【発明を実施するための最良の形態】
【００２６】
以下、本発明の実施形態を図面に基づいて説明する。
[第１の実施形態]
（全体構成）
図３は、記録装置３０１と制御装置（ホストコンピュータ）３０２との関係の説明図である。記録装置３０１と制御装置３０２はプリントシステムを構成しており、既知の通信手段により接続されて、相互に通信が可能である。制御装置３０２は、ユーザーの操作に基づいて機能し、画像データを記録データに変換して記録装置３０１に送信する。記録装置３０１は、その記録データに基づいて記録媒体に画像を記録する。記録装置３０１は、後述するように縁なし記録と通常記録の実施が可能である。
【００２７】
コンピュータ３０２は、ＣＰＵ１００１、ＲＡＭ１００２、ＲＯＭ１００３、ハードディスク記憶装置（ＨＤＤ）１００４、表示装置１００６、およびキーボードやマウス等の入力装置１００７を備える周知の構成であり、さらに外部記憶装置１００５を備える。外部記憶装置１００５は、例えば、装置に着脱自在の記憶メディア（例えば、ＤＶＤ−ＲＯＭ、ＣＤ−ＲＯＭ、ＰＤ、ＭＯ、ＦＤ、ＪＡＺＺ（登録商標）、ＪＩＰ（登録商標）、各種磁気テープ等）に、データやプログラムを読み出し／書き込み自在に記憶するものである。ＲＡＭ１００２は、ＣＰＵ１００１のワークエリアやデータの一時記憶用に使用される。
【００２８】
コンピュータ３０２は、このような外部記憶装置１００５から、ハードディスク記憶装置（ＨＤＤ）１００４またはＲＡＭ１００２に、各種アプリケーションソフト１１００や本発明のプログラムを含むプリンタドライバ２０００をロードして、それらをＣＰＵ１００１によって実行する。これにより、プリンタドライバ２０００は、後述するような特徴的な処理機能を発揮する。
【００２９】
プリンタドライバ２０００は、ハードディスク記憶装置（ＨＤＤ）１００４やＲＡＭ１００２などの記憶媒体の他、読み書き自在の各種記憶媒体にロードして実行することもできる。また、プリンタドライバ２０００は、ＲＯＭ、ＮＶＲＡＭ等の不揮発性メモリ素子に予め記憶させてもよく、あるいは、ネットワークを介して他の装置等と通信することにより、記憶装置にロードするようにしてもよい。プリンタドライバ２０００により作成された記録データは、不図示の送信処理部によって、プリンタ３０１の不図示の受信処理部へ送信される。
【００３０】
一方、記録装置３０１において、ＣＰＵ１００は、本例の記録装置３０１の動作の制御処理やデータ処理等を実行する。ＲＯＭ１０１は、それらの処理手順等のプログラムが格納され、またＲＡＭ１０２は、それらの処理を実行するためのワークエリアなどとして用いられる。後述する記録ヘッド２１からのインク（着色材）の吐出は、ＣＰＵ１００が吐出ヒータ（電気熱変換体）などの駆動データ（画像データ）および駆動制御信号（ヒートパルス信号）をヘッドドライバ２１Ａに供給することにより行われる。ＣＰＵ１００は、後述するキャリッジ（キャリッジユニット）を主走査方向に駆動するための後述するキャリッジモータ１０をモータドライバ１０Ａを介して制御し、また記録媒体を副走査方向に搬送するためのＰ．Ｆモータ１０４をモータドライバ１０４Ａを介して制御する。
（記録装置構成）
図４は、本発明を適用可能なシリアルスキャンタイプのインクジェット記録装置の概観斜視図であり、図においては、そのフロントカバーを取り外して装置内部を露出させた状態を示している。
【００３１】
１は交換式のインクジェットカートリッジであり、後述するようにインクタンクとインクジェット記録ヘッドを備えている。２は、そのインクジェットカートリッジ１を着脱自在に保持するキャリッジユニットである。３は、インクジェットカートリッジ１をキャリッジユニット２に固定するためのホルダである。インクジェットカートリッジ１をキャリッジユニット２内に装着してから、カートリッジ固定レバー４を操作すると、これに連動してインクジェットカートリッジ１０００がキャリッジユニット２に圧接される。この圧接によって、インクジェットカートリッジ１０００の位置決めが行われると同時に、キャリッジユニット２に設けられた所要の信号伝達用の電気接点とインクジェットカートリッジ１側の電気接点とが接続される。５は、電気信号をキャリッジユニット２に伝えるためのフレキシブルケーブルである。
【００３２】
６は、キャリッジユニット２を矢印Ｘの主走査方向に往復移動させるための駆動源としてのキャリッジモータ、７は、そのキャリッジモータ６の駆動力をキャリッジユニット２に伝達するキャリッジベルトである。８は主走査方向に延在するガイドシャフトであり、キャリッジユニット２を主走査方向に移動自在にガイドする。９はキャリッジユニット２に取り付けられた透過型のフォトカプラ、１０はキャリッジユニット２のホームポジション付近に設けられた遮光板である。キャリッジユニット２がホームポジションに至ったときに、遮光板１０がフォトカプラ９の光路を遮ることにより、キャリッジユニット２がホームポジションに移動したことが検出される。１２はホームポジションユニットであり、インクジェットカートリッジ１における記録ヘッドの前面をキャップするキャップ部材、このキャップ部材の内部を吸引する吸引手段、および記録ヘッドの前面のワイピングを行う部材などを含む。
【００３３】
１３は記録媒体を排出するための排出ローラであり、不図示の拍車状ローラとの間にて記録媒体を挟み込み、それを矢印Ｙの副走査方向に沿って記録装置の外へ排出する。記録装置内には、記録媒体を所定量ずつ副走査方向に搬送するラインフィードユニット（不図示）が備えられている。また記録媒体の搬送経路上には、記録媒体の端部が近付いたことを検出する不図示のペーパーエンドセンサ（ＰＥセンサ）が設けられている。
【００３４】
本例の記録装置は、記録媒体の少なくとも１つの端部に余白を形成しないように画像を記録する縁なし記録、および記録媒体の端部に余白を形成するように画像を記録する通常記録の実施が可能である。縁なし記録を実現するためには、前述した図1および図２のようなプラテンを用いることができる。その場合には、縁なし記録時に記録媒体の端部から外れた位置に吐出されるインクは、前述したようにプラテンの溝内に設けたインク吸収体に吸収保持させることができる。
【００３５】
（ヘッド構成）
図５は、インクジェットカートリッジ１の具体的な構成例を説明するための分解斜視図である。
図５において、１５はＢｋ（ブラック）のインクを貯溜するインクタンク、１６は、Ｃ（シアン）、Ｍ（マゼンタ）、Ｙ（イエロー）のインクを分けて貯溜するインクタンクであり、これらのインクタンク１５，１６は、インクジェットカートリッジ１の本体（以下、「カートリッジ本体」ともいう）に交換可能に装着される。１７はインクタンク１６におけるＣ，Ｍ，Ｙインクのインク供給口であり、カートリッジ本体側の対応する供給管２０と連結することによってＣ，Ｍ，Ｙインクを供給する。１８はインクタンク１５におけるＢｋインクのインク供給口であり、カートリッジ本体側の対応する供給管２０と連結することによって、Ｂｋインクを供給する。Ｂｋ，Ｃ，Ｍ，Ｙインクのそれぞれは、対応する供給管２０を通してインクジェット記録ヘッド２１に供給される。１９は、前述のフレキシブルケーブル５に接続される電気コンタクト部であり、記録データに基づく駆動信号を記録ヘッド２１に伝える。
【００３６】
記録ヘッド２１の前面には、４つのノズル列Ｌを形成する複数のノズルが設けられており、それぞれのノズル列ＬからＢｋ，Ｃ，Ｍ，Ｙインクが吐出される。ノズル列Ｌは、矢印Ｙの副走査方向と交差する方向（本例の場合は、副走査方向と直交する主走査方向）に形成されている。またノズルは、インクを吐出するためのインク吐出口を形成する。
【００３７】
図６は、記録ヘッド２１のより具体的な構成例を説明するための模式的側断面図である。
図６において、５１０２、５１０４、５１０６、５１０８はそれぞれ吐出用のＢｋ，Ｃ，Ｍ，Ｙインクを受容する共通液室であり、半導体プロセスで形成されたヒータボード４００１、４００２面の裏面を異方性エッチングすることによって形成される。それらの共通液室５１０２、５１０４、５１０６、５１０８は、それぞれのインクに対応する液路郡に連通し、かつ異なる色のインクの混合が生じないように互いに分離或いは区画されている。各インク色毎のノズル列は、２列ずつ形成されている。
【００３８】
Ｂｋインク吐出用の左右のノズル列におけるノズル群は、左側の吐出口５００４の郡と右側の吐出口５００６の郡を形成しており、それらの郡は、それぞれノズル列方向に同一間隔（同一のピッチ）で形成され、かつ互いに半ピッチずつずらされている。左側の吐出口５００４を形成するノズルを偶数ノズル、右側の吐出口５００６を形成するノズルを奇数ノズルともいう。吐出口５００４，５００６と対応する位置には、インクの吐出エネルギー発生手段としての吐出ヒータ５００３，５００５が設けられている。駆動信号に基づいて吐出ヒータ５００３，５００５が熱エネルギーを発生することによりインクが発泡し、その発泡エネルギーによって対応する吐出口５００４，５００６からインク液滴が吐出される。インクの吐出エネルギー発生手段として、ピエゾ素子などを用いることもできる。Ｃ，Ｍ，Ｙインク吐出用のノズル列も同様に構成されているため、それらの説明は省略する。
【００３９】
ベースプレート４０００には、共通液室５１０２、５１０４、５１０６、５１０８に連通する連通部５１０１、５１０３、５１０５、５１０７が形成されている。５００１及び５００２は、インク流路およびノズルが形成されるオリフィスプレートであり、通常は、耐熱性の樹脂材料によって形成される。Ｐは記録媒体である。
【００４０】
（ドライバ表示画面）
本例においては、ホストコンピュータ３０２（図３参照）のディスプレイ上におけるユーザーインターフェース画面（ドライバ表示画面）を用いて、ユーザーが情報を入力することにより、記録媒体のサイズ（メディアサイズ）を設定することができる。例えば、ディスプレイ上には図１１に示すようなドライバ画面が表示され、この表示画面においてユーザーが所望のメディアサイズを選択することにより、ホストコンピュータ３０２は、そのメディアサイズに適した記録データを生成する。本例では、記録対象の記録媒体のサイズとして、Ａ４サイズ（２１０．０×２９７．０ｍｍ）、Ａ５サイズ（１４８．０×２１０．０ｍｍ）、Ａ６サイズ（１０５．０×１４８．０ｍｍ）、Ｂ５サイズ（１８２．０×２５７．０ｍｍ）、Ｂ６サイズ（１２８．０ｘ１８２．０ｍｍ）の５種類のサイズの中から１つを選択することができる。またユーザーは、図１１中のチェックボックスによって、縁なし記録を行うか通常記録（「非縁なし記録」または「縁あり記録」ともいう）を行うかを任意に設定することができる。
【００４１】
（記録動作）
図７は、ユーザーによる記録動作の実行指示があったときの処理を説明するためのフローチャートである。
【００４２】
まず、ユーザーがホストコンピュータ３０２を操作して記録動作の実行を指示した場合（ステップＳ７０１）、ホストコンピュータ３０２は、図１１のようなドライバ画面上における設定内容に基づいて、記録動作として縁なし記録か通常記録のいずれを実行するかを判断する（ステップＳ７０２）。そしてホストコンピュータ３０２は、通常記録が選択された場合には、図１１のようなドライバ画面を用いて選択されたサイズの記録媒体の端部に余白を形成するように、その記録媒体上に画像を記録するための通常記録用の記録データを作成して（ステップＳ７０３）、その記録データを記録装置３０１に送信する（ステップＳ７０４）。記録装置３０１は、その受信した記録データに基づいて通常記録を実行する（ステップＳ７０５）。つまり、記録媒体の端部に余白を形成するように、その記録媒体上に画像を記録する。
【００４３】
一方、縁なし記録が選択された場合、ホストコンピュータ３０２は、ドライバ画面を用いて選択された記録対象の記録媒体のサイズに対して、予め設定されている図１０（ａ）のはみ出し量を加算することにより、記録対象の記録媒体上の記録領域よりも所定量広い領域（以下、「見かけ上の記録領域」ともいう）を算出する（ステップＳ７０６）。例えば、Ａ４サイズの記録媒体に縁なし記録を行う場合には、Ａ４サイズ（横：２１０ｍｍ、縦：２９７ｍｍ）に対して、それに対応するはみ出し量（横：２．５２ｍｍ、縦：２．３７ｍｍ）を加算することにより、見かけ上の記録領域の大きさは、横：２１２．５２ｍｍ、縦：２９９．３７ｍｍとなる。見かけ上の記録領域は、記録媒体上の第１領域と、その記録媒体からはみ出した第２領域とを含めた着色材の付与領域に相当する。
【００４４】
図１０（ａ）のはみ出し量は、それぞれのサイズの記録媒体に対する縁なし記録時に、その記録媒体の端部からはみ出るインクの付与領域の大きさを設定するものであり、図１０（ｂ）のような記録媒体のサイズのばらつき幅と、図１０（ｃ）のような記録装置３０１において想定される最悪の斜行幅と、を加算した値となっている。
【００４５】
まず、図１０（ｂ）の記録媒体のサイズのばらつき幅について説明する。ＪＩＳ規格においては、それぞれの記録媒体のサイズとして、±１．５mm〜±２．０mmの寸法差が許容されている。つまり、それぞれの記録媒体のサイズには、±１．５mm〜±２．０mmのばらつき幅が存在することになる。例えば、Ａ４サイズ（横：２１０ｍｍ、縦：２９７ｍｍ）の記録媒体には、横に±２．０mm、縦に±２．０mmのばらつき幅が存在する。
【００４６】
次に、図１０（ｃ）のような記録装置３０１において想定される最悪の斜行幅について説明する。本例の記録装置３０１において、記録媒体を搬送する際の斜行率は、図８（ａ），（ｂ）のように記録媒体Ｐ（Ｐ１，Ｐ２）のサイズに依存しない。斜行率は、図８（ａ），（ｂ）のように、記録媒体Ｐ（Ｐ１，Ｐ２）の搬送方向における記録媒体Ｐ（Ｐ１，Ｐ２）の傾きθである。本例のように、記録媒体のサイズに拘わらず斜行率が同じである場合、図８（ｂ）のように、相対的に大きな記録媒体Ｐ２に記録を行う際には、それを比較的長い距離搬送しなければならないため、その搬送のずれ量Ｌ２は相対的に大きくなる。逆に、図８（ａ）のように、相対的に小さな記録媒体Ｐ１に記録を行う場合は、搬送のずれ量Ｌ１は相対的に小さくなる。
【００４７】
本例の記録装置３０１において、記録媒体の搬送機構の精度などの様々な搬送ばらつきの発生要因を考慮した最悪の斜行率は、約±０．１(degree)である。例えば、図９のように、Ａ４サイズの記録媒体Ｐ（Ａ４サイズ）を斜行率＝０．１(degree)で搬送した場合、横に０．５２ｍｍ（≒２１０．５１８ｍｍ−２１０ｍｍ）のずれが発生し、縦に０．３７ｍｍ（≒２９７．３３６ｍｍ−２９７ｍｍ）のずれが発生する。他のサイズの記録媒体に関しても同様であり、それらの横および縦のずれ量を図１０（ｃ）に表す。
【００４８】
図１０（ｂ）の記録媒体のサイズばらつき幅の最大値と、図１０（ｃ）のずれ量とを加算することによって、図１０（ａ）のはみ出し量、つまり実際に記録媒体に発生しうる最も大きなはみ出し量が求められる。例えば、Ａ４サイズの記録媒体の場合には、横のはみ出し量２．５２ｍｍ（２ｍｍ＋０．５２ｍｍ）となり、縦のはみ出し量２．３７ｍｍ（２ｍｍ＋０．３７ｍｍ）となる。したがって、記録対象の記録媒体上の記録領域から、図１０（ａ）のはみ出し量分だけ広い領域を見かけ上の記録領域として設定し、その見かけ上の記録領域にインクを吐出して記録を行うことによって、記録媒体の全ての端部に余白を形成することなく縁なし記録を行うことができる。記録媒体の端部における余白の形成をより確実に防ぐため、はみ出し量として、図１０（ａ）のはみ出し量よりも大きな値を設定してもよい。
【００４９】
図７のステップＳ７０７において、ホストコンピュータ３０２は、ステップＳ７０６にて算出した見かけ上の記録領域に対応するサイズの記録データを生成して、それを記録装置３０１に送信する（ステップＳ７０８）。その記録データは、見かけ上の記録領域にインクを吐出させて、あたかも、その見かけ上の記録領域に画像を形成するようなデータである。記録装置３０１は、受信した記録データに基づいて縁なし記録を実施する（ステップＳ７０９）。
【００５０】
本実施形態においては、記録媒体のサイズに応じた最適なはみ出し量を設定するため、はみ出し量を必要以上に大きくすることがない。したがって、縁なし記録時に記録媒体上からはみ出した位置に吐出されるインクの量を必要最小限に抑えて、インクの浪費を抑制することができると共に、インクミストの発生を抑えて記録装置内部の汚染を軽減させることができる。
【００５１】
また、剛性、摩擦係数、および厚さなど記録媒体の特性の違いから、最悪となる斜行率が記録媒体の種類毎に異なる場合には、記録媒体毎の斜行率に応じたはみ出し量を設定するために、記録媒体毎のはみ出し量のテーブルを予め設けて用いることが望ましい。
【００５２】
[第２の実施形態]
本実施形態において、全体構成、記録装置の構成、およびヘッドの構成は、前述した第１の実施形態と同様である。
【００５３】
（ドライバ表示画面）
本例においては、前述した第１の実施形態と同様に、ホストコンピュータ３０２（図３参照）のディスプレイ上におけるユーザーインターフェース画面（ドライバ表示画面）を用いて、ユーザーが情報を入力することにより、記録媒体のサイズ（メディアサイズ）を設定することができる。例えば、ディスプレイ上には図１１に示すようなドライバ画面が表示され、この表示画面においてユーザーが所望のメディアサイズを選択することにより、ホストコンピュータ３０２は、そのメディアサイズに適した記録データを生成する。本例では、記録対象の記録媒体のサイズとして、Ａ４サイズ（２１０．０×２９７．０ｍｍ）、Ａ５サイズ（１４８．０×２１０．０ｍｍ）、Ａ６サイズ（１０５．０×１４８．０ｍｍ）、Ｂ５サイズ（１８２．０×２５７．０ｍｍ）、Ｂ６サイズ（１２８．０ｘ１８２．０ｍｍ）の５種類のサイズの中から１つを選択することができる。またユーザーは、図１１中のチェックボックスによって、縁なし記録を行うか通常記録（「非縁なし記録」または「縁あり記録」ともいう）を行うかを任意に設定することができる。
【００５４】
さらに本例においては、図１３のような別のドライバ表示画面により、ユーザーは、はみ出し量を調整することができる。はみ出し量は、表示画面上のつまみＫをカーソルによって左右にドラッグすることによって指定する。その指定方法の具体例については後述する。
【００５５】
前述の図１１のドライバ表示画面にて縁なし記録が指定されていない場合には、図１３（ａ）のようなユーザーインターフェース画面が表示される。この図１３（ａ）の画面においては、つまみＫが表示されず、はみだし量の指定ができない。一方、前述の図１１のドライバ表示画面にて縁なし記録が指定された場合、図１３（ｂ）のようにつまみＫが表示され、はみだし量の指定が可能となる。また、図１３（ｂ）の画面におけるはみ出し量に関する表示部分に、カーソルＣを合せてクリック操作することにより、はみ出し量の指定項目が設定項目となり、図１３（ｂ）の画面に代わって、プリンタ推奨のはみ出し量のガイド画面として、図１３（ｃ）のようなユーザーインターフェース画面を表示する。この図１３（ｃ）の画面中において、プリンタ推奨のはみ出し量は、文字によって、「推奨は右端です。左にドラッグするほどはみ出し量は少なくなります。」と表示される。そして、この図１３（ｃ）の表示画面上のつまみＫをカーソルＣによってドラッグして、４つの位置Ｐ１，Ｐ２，Ｐ３，Ｐ４のいずれかに位置させることによって、そのつまみＫの位置に対応する４段階（レベル１からレベル４）のはみ出し量が選択的に指定される。
【００５６】
（記録動作）
図１２は、ユーザーによる記録動作の実行指示があったときの処理を説明するためのフローチャートである。
【００５７】
まず、ユーザーがホストコンピュータ３０２を操作して記録動作の実行を指示した場合（ステップＳ１００１）、ホストコンピュータ３０２は、図１１のようなドライバ画面上における設定内容に基づいて、記録動作として縁なし記録か通常記録のいずれを実行するかを判断する（ステップＳ１００２）。そしてホストコンピュータ３０２は、通常記録が選択された場合には、図１１のようなドライバ画面を用いて選択されたサイズの記録媒体の端部に余白を形成するように、その記録媒体上に画像を記録するための通常記録用の記録データを作成して（ステップＳ１００３）、その記録データを記録装置３０１に送信する（ステップＳ１００４）。記録装置３０１は、その受信した記録データに基づいて通常記録を実行する（ステップＳ１００５）。つまり、記録媒体の端部に余白を形成するように、その記録媒体上に画像を記録する。
【００５８】
一方、縁なし記録が選択された場合、ホストコンピュータ３０２は、図１１のドライバ画面にて選択された記録対象の記録媒体のサイズに対して、図１３のドライバ画面にて選択されたはみ出し量の調整レベルに対応するはみ出し量を加算することより、記録対象の記録媒体上の記録領域よりも所定量広い領域（以下、「見かけ上の記録領域」ともいう）を算出する（ステップＳ１００６）。はみ出し量の調整レベルに対応するはみ出し量は、図１４のように予め設定しておく。例えば、記録対象の記録媒体としてＡ４サイズを選択し、かつはみ出し量の調整レベル３を選択して縁なし記録を行う場合、Ａ４サイズ（横：２１０ｍｍ、縦：２９７ｍｍ）に対して、図１４中のレベル３のはみ出し量（横：１．８９ｍｍ、縦：１．７８ｍｍ）を加算することにより、見かけ上の記録領域の大きさは、横：２１１．８９ｍｍ、縦：２９８．７８．ｍｍとなる。
【００５９】
ここで、図１４中における調整レベルとはみ出し量との関係について説明する。
【００６０】
まず、調整レベル４に対応するはみ出し量としては、前述した図１０(ａ）のはみ出し量、つまり図１０（ｂ）のような記録媒体のサイズばらつきと、前述した図１０（ｃ）のような記録装置において想定される最悪の斜行幅と、を考慮したはみ出し量が設定されている。したがって、調整レベル４が設定された場合には、前述した第１の実施形態と同様に、記録媒体のサイズのばらつき、および斜行幅が最悪であったとしても、記録媒体の端部に余白を生じることなく縁なし記録を行うことができる。しかし、記録媒体のサイズのばらつきと、その斜行幅が共に最悪な状態となることは極めて稀である。また、はみ出し量が大きく設定した場合には、その分、インクの浪費、インクミストによる汚染の発生につながる。
【００６１】
そこで本例においては、ユーザーがはみ出し量を任意に調整できる機構を備えている。すなわち、記録媒体の端部に余白を生じる可能性の全くない確実な縁なし記録をユーザーが望む場合には、ユーザーは調整レベル４を設定する。また、記録媒体の端部に余白を生じる可能性はあるがインクの浪費を低減させたい場合、ユーザーは調整レベルを３以下に設定することができる。
【００６２】
本例では、調整レベル１，２，３に対応するはみ出し量を以下ように設定している。
レベル１： レベル４の２５％
レベル２： レベル４の５０％
レベル３： レベル４の７５％
図１２のステップＳ１００７において、ホストコンピュータ３０２は、ステップＳ１００６にて算出した見かけ上の記録領域に対応するサイズの記録データを生成して、それを記録装置３０１に送信する（ステップＳ１００８）。その記録データは、見かけ上の記録領域にインクを吐出させて、あたかも、その見かけ上の記録領域に画像を形成するようなデータである。記録装置３０１は、受信した記録データに基づいて縁なし記録を実施する（ステップＳ１００９）。
【００６３】
本実施形態においては、ユーザーによる調整を伴って、記録媒体のサイズに応じた最適なはみ出し量を設定するため、はみ出し量を必要以上に大きくすることがない。したがって、縁なし記録時に記録媒体上からはみ出した位置に吐出されるインクの量を必要最小限に抑えて、インクの浪費を抑制することができると共に、インクミストの発生を抑えて記録装置内部の汚染を軽減させることができる。
【００６４】
[第３の実施形態]
本実施形態において、全体構成、記録装置の構成、およびヘッドの構成は、前述した第１の実施形態と同様である。
【００６５】
インクジェット記録装置用の記録媒体としては、光沢紙やマット紙等の多くの種類があり、それぞれの記録媒体によって製法や特性等は異なる。そのため、それぞれの記録媒体の種類に応じて、その裁断精度等の影響によりサイズのばらつきの程度が異なる。また、記録媒体の材質や厚み等により、記録装置内の搬送時に生じる斜行の状況も異なる。本実施形態においては、予め設定した図１６のようなテーブルを用いて、記録媒体の種類に応じた最適なはみ出し量を設定する。
【００６６】
図１６において、普通紙および官製はがきは一般的な用紙であり、普通紙Ａ４サイズと官製はがきの斜行量は、前述した実施形態の場合と同様に、０．１（degree）の斜行率とメディアサイズから算出した。
【００６７】
光沢紙の裁断精度は、その製法上から、一般の普通紙よりも向上させることが可能であり、普通紙のほぼ半分のばらつきに抑えることができる。そのため、光沢紙のサイズばらつきは、光沢紙Ａ４サイズでは縦が±１ｍｍ、横が±１ｍｍとなり、光沢紙Ｌ版サイズでは縦±が０．７ｍｍ、横が±０．７ｍｍとなる。マット紙の裁断精度は普通紙と光沢紙の中間であるため、マット紙のサイズのばらつきは、マット紙Ａ４サイズでは縦が±１．５ｍｍ、横が±１．５ｍｍとなる。光沢紙とマット紙の斜行率は、普通紙や官製はがきよりは２０％以上改善される。そのため光沢紙の斜行量は、光沢紙Ａ４サイズでは縦が±０．４２ｍｍ、横が±０．３ｍｍ、光沢紙Ｌ版サイズでは縦が±０．１８ｍｍ、横が±０．１３ｍｍとなる。マット紙の斜行量は、マット紙Ａ４サイズでは縦が±０．４２ｍｍ、横が±０．３ｍｍとなる。それぞれの記録媒体において、図１６中のはみ出し量はサイズのばらつき量と斜行量とを合算した量である。
【００６８】
（記録動作）
図１５は、ユーザーによる記録動作の実行指示があったときの処理を説明するためのフローチャートである。
【００６９】
まず、ユーザーがホストコンピュータ３０２を操作して記録動作の実行を指示した場合（ステップＳ１３０１）、ホストコンピュータ３０２は、図１１のようなドライバ画面上における設定内容に基づいて、記録動作として縁なし記録か通常記録のいずれを実行するかを判断する（ステップＳ１３０２）。そしてホストコンピュータ３０２は、通常記録が選択された場合には、図１１のようなドライバ画面を用いて選択されたサイズの記録媒体の端部に余白を形成するように、その記録媒体上に画像を記録するための通常記録用の記録データを作成して（ステップＳ１３０３）、その記録データを記録装置３０１に送信する（ステップＳ１３０４）。記録装置３０１は、その受信した記録データに基づいて通常記録を実行する（ステップＳ１３０５）。つまり、記録媒体の端部に余白を形成するように、その記録媒体上に画像を記録する。
【００７０】
一方、縁なし記録が選択された場合、ホストコンピュータ３０２は、図１１のようなドライバ画面にて選択された記録対象の記録媒体のサイズや種類に基づき、その記録媒体に対応するはみ出し量を図１６のテーブルから読み出す。そして、記録媒体のサイズに対して、記録媒体の種類とサイズに対応するはみ出し量を加算することより、記録対象の記録媒体上の記録領域よりも所定量広い領域（以下、「見かけ上の記録領域」ともいう）を算出する（ステップＳ１３０６）。例えば、Ａ４サイズの光沢紙に縁なし記録を行う場合、Ａ４サイズ（横：２１０ｍｍ、縦１２９７ｍｍ）に対して、対応する図１６中のはみ出し量（横：１．４２ｍｍ、縦：１．３ｍｍ）を加算することにより、見かけ上の記録領域の大きさは、横：２１１．４２ｍｍ、縦：２９８．３ｍｍとなる。
【００７１】
その後のステップＳ１３０７において、ホストコンピュータ３０２は、ステップＳ１３０６にて算出した見かけ上の記録領域に対応するサイズの記録データを生成して、それを記録装置３０１に送信する（ステップＳ１３０８）。その記録データは、見かけ上の記録領域にインクを吐出させて、あたかも、その見かけ上の記録領域に画像を形成するようなデータである。記録装置３０１は、受信した記録データに基づいて縁なし記録を実施する（ステップＳ１３０９）。
【００７２】
本実施形態においては、記録媒体の種類毎の特性をも考慮することにより、より最適なはみ出し量を設定することができる。
【００７３】
（他の実施形態）
はみ出し量の調整は、上述した実施形態のような段階的な調整の他、連続的に調整するようにしてもよい。また、はみ出し量の調整状態を表示画面によってユーザーに確認させるように構
成してもよい。その場合には、はみ出し量の調整に応じて大きさや位置が変化する記録材付与領域の画像と、記録媒体の輪郭映像とを重ねて表示することもできる。
【００７４】
また、記録装置としては、インクジェット記録ヘッドを用いたインクジェット記録方式の他、種々の記録方式のものを採用することができる。また、インクジェット記録ヘッドにおけるインクの吐出方式は、電気熱変換体を用いた方式のみに限定されず任意であり、例えば、ピエゾ素子などの素子を用いた吐出方式であってもよい。
【図面の簡単な説明】
【００７５】
【図１】(ａ）は、縁なし記録を実施可能なプラテンの構成例を説明するための斜視図、（ｂ）は、そのプラテンの断面図である。
【図２】(ａ），（ｂ），（ｃ）は、図１のプラテンを用いた縁なし記録の動作を説明するための断面図である。
【図３】本発明の第１の実施形態における記録装置と制御装置の関係の説明図である。
【図４】図３における記録装置の構成例を説明するための要部の斜視図である。
【図５】図４におけるインクジェットカートリッジの構成例を説明するための分解斜視図である。
【図６】図５における記録ヘッドの構成例を説明するための拡大断面図である。
【図７】本発明の第１の実施形態における記録動作を説明するためのフローチャートである。
【図８】(ａ）は、比較的小さい記録媒体の斜行時に生じるずれ量の説明図、（ｂ）は、比較的大きい記録媒体の斜行時に生じるずれ量の説明図である。
【図９】記録媒体の斜行時に生じるずれ量の具体例の説明図である。
【図１０】(ａ）は、本発明の第１の実施形態において設定される記録媒体のサイズとはみ出し量との関係の説明図、(ｂ）は、本発明の第１の実施形態において設定される記録媒体のサイズのばらつきの説明図、（ｃ）は、本発明の第１の実施形態において設定される記録媒体のサイズと斜行時のずれ量との関係の説明図である。
【図１１】本発明の第１の実施形態において用いるユーザーインターフェース画面の説明図である。
【図１２】本発明の第２の実施形態における記録動作を説明するためのフローチャートである。
【図１３】本発明の第２の実施形態において用いるユーザーインターフェース画面の説明図である。
【図１４】本発明の第２の実施形態において設定される調整レベルとはみ出し量との関係の説明図である。
【図１５】本発明の第３の実施形態における記録動作を説明するためのフローチャートである。
【図１６】本発明の第３の実施形態において設定される記録媒体の種類とはみ出し量との関係の説明図である。
【符号の説明】
【００７６】
１    インクジェットカートリッジ
１５，１６    インクタンク
２１    記録ヘッド
Ｐ，Ｐ１，Ｐ２    記録媒体
１００    ＣＰＵ
１０１    ＲＯＭ
１０２    ＲＡＭ
３０１    記録装置
３０２    制御装置
１００１    ＣＰＵ
１００２    ＲＡＭ
１００３    ＲＯＭ
【図１】
2005349608.tif 000003
【図２】
2005349608.tif 000004
【図３】
2005349608.tif 000005
【図４】
2005349608.tif 000006
【図５】
2005349608.tif 000007
【図６】
2005349608.tif 000008
【図７】
2005349608.tif 000009
【図８】
2005349608.tif 000010
【図９】
2005349608.tif 000011
【図１０】
2005349608.tif 000012
【図１１】
2005349608.tif 000013
【図１２】
2005349608.tif 000014
【図１３】
2005349608.tif 000015
【図１４】
2005349608.tif 000016
【図１５】
2005349608.tif 000017
【図１６】
2005349608.tif 000018